(57)【要約】【課題】軋み音（擦過音）の発生を長期にわたって防止できる遮音・耐火性能の高い軽量鉄骨間仕切り壁を低コストで実現する。【解決手段】上部ランナー２及び下部ランナー３と、それらに上端部及び下端部が挿入されたスタッド４と、スタッドに固定された石膏ボード５と、それらの中空部に充填されたグラスウール６とを備え、スタッドと上部ランナーが面内方向に相対変位することにより建物の層間変位を吸収するようにした軽量鉄骨間仕切り壁において、スタッドと石膏ボードとの間に敷目板７を千鳥配置の状態に介在させ、上部ランナーとして、横幅Ｂがスタッドの横幅Ａよりも大きく且つスタッドの横幅Ａとスタッドの両側に配置される敷目板の厚さＣ、Ｃとの和より小さいものを使用し、スタッドの上端部両側面と上部ランナーの内側面との間には敷目板の上端より高い位置においてスタッドに貼着した弾性緩衝材８を介在させ、石膏ボードと上部ランナーの外側面との間に隙間ｂを形成する。【選択図】図３
2010242298.tif 000002
【特許請求の範囲】
【請求項１】
上階側及び下階側に固定された上部ランナー及び下部ランナーと、上部ランナー及び下部ランナーに上端部及び下端部が挿入されたスタッドと、スタッドに固定された石膏ボードと、それらで囲まれた中空部に充填されたグラスウールとを備え、スタッドと上部ランナーが面内方向に相対変位することにより建物の層間変位を吸収するようにした軽量鉄骨間仕切り壁であって、スタッドの両側面と石膏ボードとの間に敷目板を千鳥配置の状態に介在させ、上部ランナーとして、横幅がスタッドの横幅よりも大きく且つスタッドの横幅とスタッドの両側に配置される敷目板の厚さとの和より小さいものを使用し、スタッドの上端部両側面と上部ランナーの内側面との間には敷目板の上端より高い位置においてスタッドに貼着した弾性緩衝材を介在させ、ボードと上部ランナーの外側面との間に隙間を形成したことを特徴とする軽量鉄骨間仕切り壁。
【請求項２】
敷目板が面内方向でのスタッド幅に対応する寸法の帯板状に裁断した石膏ボードによって構成されていることを特徴とする請求項１に記載の軽量鉄骨間仕切り壁。
【発明の詳細な説明】
【技術分野】
【０００１】
本発明は、上階側及び下階側に固定された上部ランナー及び下部ランナーと、上部ランナー及び下部ランナーに上端部及び下端部が挿入されたスタッドと、スタッドに固定された石膏ボードと、それらで囲まれた中空部に充填されたグラスウールとを備え、スタッドと上部ランナーが面内方向に相対変位することにより建物の層間変位を吸収するようにした軽量鉄骨間仕切り壁に関する。
【背景技術】
【０００２】
この種の軽量鉄骨間仕切り壁においては、風圧等に起因する建物の揺れにより生じる層間変位に伴い、上部ランナーとスタッドの摩擦による軋み音（擦過音）が発生することが知られている。そのため、一般的には、上部ランナーとスタッドの接触領域である上部ランナーの内側面とスタッドの上端部外側面の少なくとも一方に、ＰＰテープやテフロンテープ等の滑り材を貼着して、軋み音（擦過音）の発生を防止している。
【０００３】
この対処方法には、ある程度の効果が認められるが、建物の竣工後、数年経過した時点で、軋み音（擦過音）の発生が問題になることが多い。これは、次の理由による。
【０００４】
即ち、薄鋼板（例えば厚さ０．８ｍｍ）の曲げ成形によって製造されるランナーやスタッドは、その横幅が、ＪＩＳ規格によって、５０ｍｍ、６５ｍｍ、７５ｍｍ、９０ｍｍ、１００ｍｍ等の数種類に定められている。そして、従来の軽量鉄骨間仕切り壁においては、上階側及び下階側に固定するランナーと、ランナー間に立設するスタッドとして、同一規格（横幅）のものが使用されていた。従って、スタッドは、その上下両端部を、上階側及び下階側に固定された上部ランナー及び下部ランナーに無理嵌めした状態に立設されることになり、スタッドの上端部両側面が上部ランナーの内側面に強く圧接された状態となる。
【０００５】
そのため、上部ランナーとスタッドの接触領域に介在させる滑り材としては、フィルム状の薄肉のものに限られており、上部ランナーとスタッドの接触圧力や薄鋼板の切断加工時に発生したバリによって、上部ランナーとスタッドの接触領域に貼着されている薄肉の滑り材が次第に傷付けられて行き、終には滑り材としての機能が損なわれるからである。
【０００６】
また、層間変位に伴って軽量鉄骨間仕切り壁に発生する軋み音（擦過音）の殆どは、上部ランナーとスタッドとのメタルタッチによるものであるが、上部ランナーと石膏ボードの摩擦によるものも皆無ではない。
【０００７】
特許文献１には、スタッドに固定する石膏ボードとして、上端側が薄く形成されたテーパーボードを用いることにより、上部ランナーの外側面と石膏ボードとの間に隙間を形成して、スタッドと石膏ボードの摩擦によるによる軋み音（擦過音）の防止する軽量鉄骨間仕切り壁が提案されている。
【０００８】
しかし、これによる場合は、上階側及び下階側に固定するランナーと、ランナー間に立設するスタッドとして、従来通り、同一規格（横幅）のものが使用されているので、スタッドの上端部を上部ランナーに無理嵌めした状態となり、上部ランナーとスタッドとの間での軋み音（擦過音）の発生を防止できず、たとえ、上部ランナーとスタッドの接触領域に薄肉の滑り材を介在させたとしても、建物の竣工後、数年経過した時点で、軋み音（擦過音）の発生が問題になることが予想される。
【０００９】
尚、上部ランナー及び下部ランナーとスタッドの接触領域や、上部ランナー及び下部ランナーと石膏ボードの接触領域に、塗布、塗工又は吹付けにより固着した弾力的に変位可能な硬質又は半硬質又は軟質の材料からなる緩衝帯を介在させ、建物の層間変位によって生じるスタッドとランナーの相対変位を弾性的に吸収し、擦過音の発生を防止する技術が、特許文献２によって提案されている。
【００１０】
しかし、この従来技術では、ランナーやスタッドを薄鋼板のロールフォーミングによって成形する際、予め、長手方向に移送される薄鋼板の片面に緩衝帯の原料を塗布、塗工又は吹付け等の手段により帯状に固着し、この緩衝帯付き薄鋼板を所定の断面形状に曲げ成形して、ランナーやスタッドを製造している。従って、全長にわたって線形の緩衝帯が固着された特殊な緩衝帯付きランナーや緩衝帯付きスタッドとなり、コストが高く付くという問題点がある。
【先行技術文献】
【特許文献】
【００１１】
【特許文献１】特開２００７−３２２７５号公報
【特許文献２】特許第３２６８７５８号公報
【発明の概要】
【発明が解決しようとする課題】
【００１２】
本発明は、上記の問題点を踏まえて成されたものであって、その目的とするところは、軋み音（擦過音）の発生を長期にわたって防止でき、しかも、遮音・耐火性能の高い軽量鉄骨間仕切り壁を低コストで実現することにある。
【課題を解決するための手段】
【００１３】
上記の目的を達成するために本発明が講じた技術的手段は、次のとおりである。即ち、請求項１に記載の発明による軽量鉄骨間仕切り壁は、上階側及び下階側に固定された上部ランナー及び下部ランナーと、上部ランナー及び下部ランナーに上端部及び下端部が挿入されたスタッドと、スタッドに固定された石膏ボードと、それらで囲まれた中空部に充填されたグラスウールとを備え、スタッドと上部ランナーが面内方向に相対変位することにより建物の層間変位を吸収するようにした軽量鉄骨間仕切り壁であって、スタッドの両側面と石膏ボードとの間に敷目板を千鳥配置の状態に介在させ、上部ランナーとして、横幅がスタッドの横幅よりも大きく且つスタッドの横幅とスタッドの両側に配置される敷目板の厚さとの和より小さいものを使用し、スタッドの上端部両側面と上部ランナーの内側面との間には敷目板の上端より高い位置においてスタッドに貼着した弾性緩衝材を介在させ、ボードと上部ランナーの外側面との間に隙間を形成したことを特徴としている。石膏ボードとしては、芯にガラス繊維を加えて耐火性脳を強化した石膏ボードを用いることが望ましい。
【００１４】
請求項２に記載の発明は、請求項１に記載の軽量鉄骨間仕切り壁であって、敷目板が面内方向でのスタッド幅に対応する寸法の帯板状に裁断した石膏ボードによって構成されていること特徴としている。
【発明の効果】
【００１５】
請求項１に記載の発明によれば、軋み音（擦過音）の発生を長期にわたって防止できる遮音・耐火性能の高い軽量鉄骨間仕切り壁を低コストで実現することができる。
【００１６】
即ち、スタッドの両側面と石膏ボードとの間に敷目板を千鳥配置の状態に介在させたので、スタッドと石膏ボードとの間には、スタッド１本置きに且つ交互に敷目板の厚み相当幅の隙間が形成されることになる。従って、片側の石膏ボード表面を叩いたときの振動が
スタッドを介して反対側の石膏ボードに伝わり難くなることと、上部ランナー、下部ランナー、スタッド、石膏ボードで囲まれた中空部に充填されたグラスウールによる吸音性能が発揮されることとの相乗的効果によって、軽量鉄骨間仕切り壁の遮音性能を著しく高めることができる。
【００１７】
そして、石膏ボードとして、芯にガラス繊維を加えて耐火性脳を強化した石膏ボードを用いることによって、軽量鉄骨間仕切り壁の耐火性能を著しく高めることができる。
【００１８】
しかも、上部ランナーとして、横幅がスタッドの横幅よりも大きく且つスタッドの横幅とスタッドの両側に配置される敷目板の厚さとの和より小さいものを使用し、スタッドの上端部両側面と上部ランナーの内側面との間には敷目板の上端より高い位置においてスタッドに貼着した弾性緩衝材を介在させたので、この部分以外は一切接触がなく、建物の層間変位によって生じるスタッドとランナーの相対変位を弾性緩衝材により弾性的に吸収し、上部ランナーとスタッドとのメタルタッチによる軋み音（擦過音）の発生を長期にわたって防止できる。
【００１９】
また、上部ランナーとして、横幅がスタッドの横幅とスタッドの両側に配置される敷目板の厚さとの和より小さいものを使用して、石膏ボードと上部ランナーの外側面との間に隙間を形成したので、石膏ボードと上部ランナーとの擦過音が発生することもない。
【００２０】
殊に、従来の軽量鉄骨間仕切り壁では、ランナーやスタッドとして同一規格（横幅）のものを使用していたのに対し、本発明では、上部ランナーとして、スタッドより横幅が広く且つスタッドの横幅とスタッドの両側に配置される敷目板の厚さとの和より小さいものを使用することで、スタッドの上端部両側面と上部ランナーの内側面との間に厚みのある弾性緩衝材を介在させるために必要な間隔を確保すると同時に、石膏ボードと上部ランナーの外側面との間に隙間を確保したので、各スタッドの上端部両側面に局所的に貼着される小さな弾性緩衝材を追加するだけの材料費の安い簡単な構成によって、軋み音（擦過音）の発生を長期にわたって防止できる遮音・耐火性能の高い軽量鉄骨間仕切り壁を低コストで実現することが可能である。
【００２１】
尚、弾性緩衝材として板ゴム、ニードルパンチタイプのカーペット片、中間層に発泡塩化ビニールを使ってクッション性を高めたクッションシートの小片等を用いれば、スタッドに対する取付けが容易であり、スタッドを薄鋼板のロールフォーミングによって成形する際、予め、長手方向に移送される薄鋼板の片面に緩衝帯の原料を塗布、塗工又は吹付け等の手段により帯状に固着して、弾性緩衝材付きスタッドを製造する場合に比して、低コストで実施できる。
【００２２】
請求項２に記載の発明によれば、敷目板が面内方向でのスタッド幅に対応する寸法の帯板状に裁断した石膏ボードによって構成されているので、スタッドの両側に固定する石膏ボードの切れ端を利用して敷目板を構成することも可能であり、低コストで実施できる。
【図面の簡単な説明】
【００２３】
【図１】本発明の実施形態を示す軽量鉄骨間仕切り壁の一部切欠き斜視図である。
【図２】軽量鉄骨間仕切り壁の要部の拡大斜視図である。
【図３】軽量鉄骨間仕切り壁の縦断面図である。
【図４】軽量鉄骨間仕切り壁の横断面図である。
【図５】軽量鉄骨間仕切り壁の構成部材の寸法を説明する図である。
【図６】軽量鉄骨間仕切り壁の構築方法を説明する縦断面図である。
【図７】図６に続く縦断面図である。
【図８】図７に続く縦断面図である。
【図９】図８に続く縦断面図である。
【図１０】図９に続く縦断面図である。
【図１１】本発明の他の実施形態を示す軽量鉄骨間仕切り壁の要部の縦断面図である。
【図１２】軽量鉄骨間仕切り壁の要部の側面図である。
【図１３】本発明の他の実施形態を示す軽量鉄骨間仕切り壁の要部の縦断面図である。
【図１４】軽量鉄骨間仕切り壁の要部の側面図である。
【発明を実施するための形態】
【００２４】
以下、本発明の実施形態を図面に基づいて説明する。図１〜図４は本発明に係る軽量鉄骨間仕切り壁の一例を示す。この軽量鉄骨間仕切り壁は、上階側（床スラブ１）及び下階側（床スラブ１）に固定された上部ランナー２及び下部ランナー３と、上部ランナー２及び下部ランナー３に上端部及び下端部が挿入されたスタッド４と、スタッド４に固定された石膏ボード５と、それらで囲まれた中空部に充填されたグラスウール（２４ｋｇ／ｍ３又は３２ｋｇ／ｍ３・５０ｍｍ）６とを備え、スタッド４と上部ランナー２が面内方向に相対変位することにより建物の層間変位を吸収するように構成されている。石膏ボード５は、下貼りボード５ａと上貼りボード５ｂから成る二重構造とされている。
【００２５】
石膏ボード５としては、下貼りボード５ａ、上貼りボード５ｂの双方とも、芯にガラス繊維を加えて耐火性脳を強化した石膏ボード（例えば、吉野石膏株式会社製のタイガーボード・タイプＺ）が用いられている。石膏ボード５の厚さは、要求される耐火性能に合わせて適宜設定されるが、図示の例では、下貼りボード５ａ、上貼りボード５ｂの厚さを、夫々、１２．５ｍｍに設定してある。
【００２６】
スタッド４の両側面と石膏ボード５との間には、敷目板７を、図４に示すように、千鳥配置の状態に介在させ、スタッド４と石膏ボード５との間に、スタッド１本置きに且つ交互に敷目板７の厚み相当幅の隙間Ｓを形成してある。敷目板７としては、前記石膏ボード５と同材質・同一厚さの石膏ボードをスタッド４の太さ（軽量鉄骨間仕切り壁の面内方向における幅）と同程度の幅で、且つ、上部ランナー２と下部ランナー３の上下間隔よりも僅かに短い上下長さに裁断したものを用いており、タッピングビス、釘、接着剤等でスタッド４の一側面に固定してある。従って、石膏ボード５は１本置きのスタッド４に敷目板７を介して固定されることになる。
【００２７】
上部ランナー２、下部ランナー３、スタッド４は、何れも、薄鋼板（例えば厚さ０．８ｍｍ）の曲げ成形によって製造されたもので、下部ランナー３とスタッド４は、図５に示すように、横幅Ａが同一のものを使用しているが、上部ランナー２としては、横幅Ｂがスタッド４の横幅Ａよりも大きく且つスタッド４の横幅Ａとスタッド４の両側に配置される敷目板７の厚さＣ、Ｃとの和より小さいものを使用している。
【００２８】
そして、スタッド４の上端部両側面と上部ランナー２の内側面との間に形成される隙間ａには、敷目板７の上端より高い位置においてスタッド４に貼着した弾性緩衝材８を圧縮状態で介在させ、石膏ボード５と上部ランナー２の外側面との間に夫々隙間ｂを形成してある。弾性緩衝材８としては、例えば、ニードルパンチタイプのカーペット片、中間層に発泡塩化ビニールを使ってクッション性を高めたクッションシートの小片、多数のガラス長繊維が繊維方向を揃えて積層され、且つ、接着剤で局部的に結合されたマット状の弾性緩衝材や、更にその表面を不織布で被覆したマット状の弾性緩衝材、ガラス長繊維の積層体の表面を不織布で被覆し、ニードル加工して樹脂バインダーを施したマット（ニチアス社製、商品名スーパーフェルトン）であってもよいが、この実施形態においては板ゴムが用いられている。板ゴムの材質としては、シリコーンゴム、フッ素ゴム、ＥＰＤＭ、合成
ゴム等の何れであってもよい。そして、スタッド４の側面に接着剤で貼着し、更に、図２に示すように、スタッド４にねじ込むタッピングビス９によって補助的に固定し、万が一、何らかの原因によって接着面が剥がれても、板ゴム（弾性緩衝材８）が脱落しないように構成されている。また、弾性緩衝材８としては、上部ランナー２とスタッド４の接触圧力や薄鋼板の切断加工時に発生したバリによる損傷によって機能が損なわれない程度の厚み（少なくとも１ｍｍ以上、好ましくは４〜８ｍｍ程度の厚み）に設定される。
【００２９】
上述した横幅Ａ、Ｂを持つランナーやスタッドは、特注品であってもよいが、ＪＩＳ規格によって定められた横幅のものを利用することが経済的であり、軽量鉄骨間仕切り壁の低コスト化に有効である。即ち、薄鋼板の曲げ成形によって製造されるランナーやスタッドの横幅は、ＪＩＳ規格によって、５０ｍｍ、６５ｍｍ、７５ｍｍ、９０ｍｍ、１００ｍｍ等の数種類に定められているので、下部ランナー３及びスタッド４として横幅５０ｍｍのものを用いる場合は、上部ランナー２として横幅６５ｍｍのものを使用し、下部ランナー３及びスタッド４として横幅６５ｍｍのものを用いる場合は、上部ランナー２として横幅７５ｍｍｍのものを使用し、下部ランナー３及びスタッド４として横幅７５ｍｍのものを用いる場合は、上部ランナー２として横幅９０ｍｍのものを使用し、下部ランナー３及びスタッド４として横幅９０ｍｍのものを用いる場合は、上部ランナー２として横幅１００ｍｍのものを使用するといったように、上部ランナー２だけ、一ランク幅広の規格の製品を選択することによって、必要な隙間ａ、ｂを確保でき、特注品に比して遥かに低コストで実施できることになる。
【００３０】
因みに、図示の実施形態では、下部ランナー３及びスタッド４として横幅Ａが６５ｍｍのものを使用し、上部ランナー２として横幅Ｂが７５ｍｍのものを使用している。また、敷目板７として、下貼りボード５ａや上貼りボード５ｂと同じ厚さ１２．５ｍｍの石膏ボードを使用しているので、スタッド４の上端部両側面と上部ランナー２の内側面との間に形成される隙間ａは５ｍｍ、石膏ボード５と上部ランナー２の外側面との間に隙間ｂは、７．５ｍｍとなる。
【００３１】
図１、図２、図３に示す１０は、石膏ボード５と床スラブ１の隙間に注入された耐火気密シール（シリコン系の不定形シーリング材）である。図３に示す１１は天井板、１２は床板である。
【００３２】
上記の構成によれば、スタッド４の両側面と石膏ボード５との間に敷目板７を千鳥配置の状態に介在させたので、スタッド４と石膏ボード５との間には、スタッド１本置きに且つ交互に敷目板７の厚み相当幅の隙間Ｓが形成されることになる。従って、片側の石膏ボード５表面を叩いたときの振動がスタッド４を介して反対側の石膏ボード５に伝わり難くなることと、上部ランナー２、下部ランナー３、スタッド４、石膏ボード５で囲まれた中空部に充填されたグラスウール６による吸音性能が発揮されることとの相乗的効果によって、軽量鉄骨間仕切り壁の遮音性能を著しく高めることができる。
【００３３】
そして、石膏ボード５として、芯にガラス繊維を加えて耐火性脳を強化した石膏ボードを用いているので、軽量鉄骨間仕切り壁の耐火性能を著しく高めることができる。
【００３４】
しかも、上部ランナー２として、横幅Ｂがスタッド４の横幅Ａよりも大きく且つスタッド４の横幅Ａとスタッド４の両側に配置される敷目板7の厚さＣ、Ｃとの和より小さいも
のを使用し、スタッド４の上端部両側面と上部ランナー２の内側面との間には、敷目板７の上端より高い位置においてスタッド４に貼着した弾性緩衝材８を介在させたので、建物の層間変位によって生じるスタッド４と上部ランナー２の相対変位を弾性緩衝材８により弾性的に吸収し、上部ランナー２とスタッド４とのメタルタッチによる軋み音（擦過音）の発生を長期にわたって確実に防止できる。
【００３５】
また、上部ランナー２として、横幅Ｂがスタッド４の横幅Ａとスタッド４の両側に配置される敷目板７の厚さＣ、Ｃとの和より小さいものを使用して、石膏ボード５と上部ランナー２の外側面との間に隙間ｂを形成したので、石膏ボード５と上部ランナー２との擦過音が発生することもない。
【００３６】
殊に、従来の軽量鉄骨間仕切り壁では、ランナーやスタッドとして同一規格（横幅）のものを使用していたのに対し、上記の構成では、上部ランナー２として、横幅Ｂがスタッド４の横幅Ａよりも大きく且つスタッド４の横幅Ａとスタッド４の両側に配置される敷目板7の厚さＣ、Ｃとの和より小さいものを使用することで、スタッド４の上端部両側面と
上部ランナー２の内側面との間に厚みのある弾性緩衝材８を介在させるために必要な間隔ａを確保すると同時に、石膏ボード５と上部ランナー２の外側面との間に隙間ｂを確保したので、各スタッド４の上端部両側面に局所的に貼着される小さな弾性緩衝材８を追加するだけの材料費の安い簡単な構成によって、軋み音（擦過音）の発生を長期にわたって防止できる遮音・耐火性能の高い軽量鉄骨間仕切り壁を低コストで実現することが可能である。
【００３７】
次に、上記軽量鉄骨間仕切り壁の構築方法を説明する。先ず、図６に示すように、上階側の床スラブ１と下階側の床スラブ１に上部ランナー２と下部ランナー３をコンクリート釘１３等により固定する。下部ランナー３とスタッド４には同じＪＩＳ規格の製品を使用するが、上部ランナー２だけは、それらより一ランク幅広のＪＩＳ規格の製品を使用する。次に、上端部両側面に予め弾性緩衝材（板ゴム）８が貼着されたスタッド４を建て込み、スタッド４の下端部を下部ランナー３に挿入して固定すると共に、上端部を上部ランナー２に挿入して摩擦力により固定する。スタッド４の下端部と下部ランナー３の固定は、密着状態に挿入することにより摩擦力だけで行われるようにしてもよく、タッピングビスやクリップ等を併用して積極的に固定するようにしてもよい。
【００３８】
しかる後、図７に示すように、スタッド４の一側面に敷目板７を固定し、次のスタッド４には反対側の一側面に敷目板７を固定して、敷目板７を千鳥配置の状態とする。
【００３９】
次に、図８に示すように、片側の敷目板７に下貼りボード５ａをタッピングビス、釘、接着剤等で固定し、その上に上貼りボード５ｂをタッピングビス、釘、接着剤等で固定する。
【００４０】
しかる後、図９に示すように、反対側からマット状に成形されたグラスウール６を充填した状態で、図１０に示すように、反対側の敷目板７に下貼りボード５ａを固定し、その上に上貼りボード５ｂを固定する。そして、図３に示したように、石膏ボード５と床スラブ１の隙間に耐火気密シール（シリコン系の不定形シーリング材）１０を注入して、前述した構成の軽量鉄骨間仕切り壁を実現するのである。
【００４１】
図１１、図１２は、本発明の他の実施形態を示す。この実施形態は、上部ランナー２を上階側の梁鉄骨１４に固定した軽量鉄骨間仕切り壁を示す。１５は梁鉄骨１４を耐火被覆するロックウールである。１６はロックウール１５の厚みに対応する上下幅を有する断面コ字状のブラケットであり、ロックウール１５の吹付けに先立って梁鉄骨１４の下フランジに溶接してある。そして、上部ランナー２をブラケット１６の下板部にタッピングビス１７で固定してある。
【００４２】
ブラケット１６の梁幅方向一側面には遮音用鉄板１８が溶接等の手段により固定されている。遮音用鉄板１８はブラケット１６の内側空間へのロックウール１５の充填不良に起因する音の漏洩を防止するものである。下貼りボード５ａの上端とロックウール１５との
隙間には紐状に成形したロックウール１５ａが充填されている。上貼りボード５ｂはロックウール１５を押し上げ気味に固定されている。その他の構成、作用は、図１〜図１０の実施形態と同じであるため、説明を省略する。
【００４３】
図１３、図１４は、本発明の他の実施形態を示す。この実施形態は、断面コ字状のブラケット１６を、その開口部が梁幅方向を向くように配置することによって、ブラケット１６自体の縦板部がブラケット１６の内側空間へのロックウール１５の充填不良に起因する音の漏洩を防止する役目を果たし、上述した遮音用鉄板１８を省略した点に特徴がある。その他の構成、作用は、図１１、図１２の実施形態と同じであるため、説明を省略する。
【００４４】
以上、本発明の実施形態について説明したが、本発明はこうした実施形態にのみ限定されるべきものではなく、本発明の要旨を逸脱しない範囲において、種々なる態様で実施し得ることは勿論である。
【産業上の利用可能性】
【００４５】
本発明の軽量鉄骨間仕切り壁は、高層ビルや超高層ビルに適用されることが多いが、低層ビルや戸建建物にも利用できる。
【符号の説明】
【００４６】
Ａ  横幅
Ｂ  横幅
Ｃ  厚み
Ｓ  隙間
ａ  隙間
ｂ  隙間
１  床スラブ
２  上部ランナー
３  下部ランナー
４  スタッド
５  石膏ボード
５ａ  下貼りボード
５ｂ  上貼りボード
６  グラスウール
７  敷目板
８  弾性緩衝材
９  タッピングビス
１０  耐火気密シール
１１  天井板
１２  床板
１３  コンクリート釘
１４  梁鉄骨
１５  ロックウール
１５ａ  ロックウール
１６  ブラケット
１７  タッピングビス
１８  遮音用鉄板
【図１】
2010242298.tif 000003
【図２】
2010242298.tif 000004
【図３】
2010242298.tif 000005
【図４】
2010242298.tif 000006
【図５】
2010242298.tif 000007
【図６】
2010242298.tif 000008
【図７】
2010242298.tif 000009
【図８】
2010242298.tif 000010
【図９】
2010242298.tif 000011
【図１０】
2010242298.tif 000012
【図１１】
2010242298.tif 000013
【図１２】
2010242298.tif 000014
【図１３】
2010242298.tif 000015
【図１４】
2010242298.tif 000016